(57)【要約】【課題】媒体使用時におけるキャップ蓋の紛失防止と片手で差込端子部の出し入れ操作が容易に行えるケース収納媒体を提供する。【解決手段】媒体本体に設けられている差込端子部を出し入れ可能な開口部を有し媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成され、前記媒体本体の移動操作と連動して移動させることにより前記媒体本体を前記移動可能に収納するケース本体に収納した状態で前記ベルト体作用部が前記開口部を塞ぎ、前記差込端子部を露出した状態で前記開口部が開口状態となるケース収納媒体。【選択図】図１
2007066289.tif 000002
【特許請求の範囲】
【請求項１】
コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記ケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成され、媒体本体を収納した状態でベルト体作用部が開口部を塞ぎ、差込端子部を露出した状態で開口部が開口状態となるものであることを特徴とするケース収納媒体。
【請求項２】
コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記ケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記媒体本体と前記ベルト体の接続部に設けられるベルト体の作用部が前記ケース本体の開口部移動間に媒体本体とベルト体の連動を解除する連動解除機構とより構成され、媒体本体を収納した状態でベルト体作用部が開口部を塞ぎ、差込端子部を露出した状態で開口部が開口状態となるものであることを特徴とするケース収納媒体。
【請求項３】
開口部をベルト体が塞いだ状態で止める蓋ストッパー機構を設けたことを特徴とする請求項１又は２記載のケース収納媒体。
【請求項４】
媒体本体に書込制御、指紋認証、記憶カード挿入等の補助操作機構を備え、ケース本体に少なくとも差込端子部を露出した状態で前記補助操作機構が操作可能に露出させるための開口部を備えたことを特徴とする請求項１、２又は３記載のケース収納媒体。
【請求項５】
媒体本体は動作ランプを具備したものであり、ケース本体は少なくとも使用時において該動作ランプ位置がランプ発光を視認できる可透性や開口機構等の可視機構となったものであることを特徴とする請求項１、２又は３乃至４記載のケース収納媒体。
【請求項６】
媒体本体は液晶等表示機能を具備したものであり、ケース本体は少なくとも使用時において該液晶等表示機能位置が表示発光を視認できる可透性や開口機構等の可視機構となったものであることを特徴とする請求項１、２又は３乃至５記載のケース収納媒体。
【発明の詳細な説明】
【技術分野】
【０００１】  本発明は、コンピュータ接続口に接続可能な差込端子部を有し接続により利用される外部記憶、外部認証、外部カードリーダー・ライター、外部サスティック等のコンピュータ接続口に接続可能な差込端子部を有した媒体に関するものである。
【背景技術】
【０００２】  従来から、記憶、認証、カードリーダー・ライター、サスティック等の媒体の多くは、差込端子部の変形や破損およびホコリや異物等の侵入から保護する目的として、図２０に示すように使用する際に分離する構造の一般的なキャップ蓋３６が広く用いられている。また、一部の記憶媒体には、使用する際においても分離しない構造のＵ字板状の蓋を回転させる機構により差込端子部の変形や破損およびホコリや異物等の侵入から保護し、更に一部の記憶媒体には、使用する際においても分離しない構造の差込端子部保護部材と摺動機構により差込端子部の変形や破損から保護する発明が知られている（特許文献１乃至４、非特許文献１乃至５）。
【特許文献１】  特開２００２−０４１２４７号公報
【特許文献２】  特開２００４−５４０７号公報
【特許文献３】  特開２００４−２２１０４８号公報
【特許文献４】  特開２００５−９２７４５号公報
【非特許文献１】  「月刊アスキー」株式会社アスキー出版、２００４年７月１日発行、Ｐ９７
【非特許文献２】  「月刊アスキー」株式会社アスキー出版、２００４年８月１日発行、Ｐ１２２
【非特許文献３】  「日経産業新聞」株式会社日本経済新聞社、２００４年１２月１７日発行、Ｐ４
【非特許文献４】  「週刊アスキー」株式会社アスキー出版、２００５年５月３１日号発行、Ｐ９１
【非特許文献５】  「ＡＳＡＨＩパソコン」朝日新聞社出版、２００５年７月１日号発行、Ｐ１１９
【発明の開示】
【発明が解決しようとする課題】
【０００３】  その為に次のような問題点があった。
（イ）既存の記憶、認証、カードリーダー・ライター、サスティック等の媒体の多くは      、各媒体を使用する際に差込端子部保護キャップ蓋と各媒体本体とが分離する構造      から、外した差込端子部保護キャップ蓋を紛失する可能性が非常に高く、更に差込      端子部保護キャップ蓋の脱着には両手を使わなければならない。
（ロ）一部の記憶媒体には、差込端子部保護キャップ蓋と記憶媒体本体とをチェーンで      連結することにより外した差込端子部保護キャップ蓋の紛失防止に努めているが、      チェーンが絡まったり、引っ掛かったりして扱いづらい。また、差込端子部保護キ      ャップ蓋の脱着には両手を使わなければならない。
（ハ）一部の記憶媒体には、使用する際においても分離しない構造のＵ字板状の差込端      子部保護蓋を回転させる機構により差込端子部保護蓋の紛失防止に努めているが、      片手でＵ字板状の差込端子部保護蓋を回転させるには非常にやりにくく、しかも記      憶媒体本体の長さが短い製品にしか向かない。それは、記憶媒体本体の長さを長く      すると必然的に両手を使わざるを得ないからである。
（ニ）一部の記憶媒体には、使用する際においても分離しない構造の差込端子部保護部      材と摺動機構により差込端子部保護蓋の紛失防止に努めているが、差込端子部収納      時において差込端子部保護部材に蓋等の覆い隠すものが何も設けられておらず、差      込端子部を摺動露出させる為の開口部が完全に開口している状態であるが為に、差      込端子部にホコリや異物等が侵入し、それ故に破損や変形する可能性が非常に高い      。
本発明は、これらの問題点を解決するためになされたものである。
【課題を解決するための手段】
【０００４】  コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記ケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成する。そして、媒体本体を収納した状態でベルト体作用部が開口部を塞ぎ、差込端子部を露出した状態で開口部が開口状態とする。【０００５】  コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記ケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記媒体本体と前記ベルト体の接続部に設けられるベルト体の作用部が前記ケース本体の開口部移動間に媒体本体とベルト体の連動を解除する連動解除機構とより構成する。そして、媒体本体を収納した状態でベルト体作用部が開口部を塞ぎ、差込端子部を露出した状態で開口部が開口状態とする。【０００６】  開口部をベルト体が塞いだ状態で止める蓋ストッパー機構を設ける。【０００７】  媒体本体に書込制御、指紋認証、記憶カード挿入等の補助操作機構を備え、ケース本体に少なくとも差込端子部を露出した状態で前記補助操作機構が操作可能に露出させるための開口部を備える。【０００８】  媒体本体は動作ランプを具備する。そして、ケース本体は少なくとも使用時において該動作ランプ位置がランプ発光を視認できる可透性や開口機構等の可視機構を備える。【０００９】  媒体本体は液晶等表示機能を具備する。そして、ケース本体は少なくとも使用時において該液晶等表示機能位置が表示発光を視認できる可透性や開口機構等の可視機構を備える。以上を特徴とするケース収納媒体である。
【発明の効果】
【００１０】  本発明により、差込端子部保護キャップ蓋の脱着に両手を使うというわずらわしさがなくなるとともに差込端子部保護キャップ蓋の紛失ということもなくなり、片手で簡単に差込端子部の出し入れの操作ができ、また、差込端子部収納時には差込端子部の変形や破損及びホコリや異物等の侵入から保護することが可能となる。
【発明を実施するための最良の形態】
【００１１】  以下、本発明の第１実施例の形態について図１から図６を用いて説明する。
図１は本発明の差込端子部が露出した状態を示す斜視図、図２は本発明の差込端子部を収納した状態を示す斜視図、図３は本発明の図１の要部縦断面図、図４は本発明の図２の要部縦断面図、図５は本発明の図４のＡ−Ａ線要部断面図、図６は本発明の図４の要部を示す斜視図である。
本発明は媒体本体９と、ケース本体１と、操作体３と、ベルト体７とより構成される。
媒体本体９は、コンピュータに設けられている接続口に接続可能な差込端子部１０を有し接続により利用される外部記憶、外部認証、外部サスティック等の媒体本体９である。本事例においては、指紋認証機能を有する記憶媒体として以下説明する。
媒体本体９は、差込端子部１０と内部構造よりなり、差込端子部１０を露出した状態となるように内部構造を覆う媒体ケース２４により構成されている。
媒体ケース２４の側面には指紋認証機能を果たす指紋認証部１６が設けられている。また、動作ランプ１４も側面に設けられている。
媒体ケース２４の上面後部には凹状の取付部２９が形成されている。
操作体３は、媒体ケース２４上部に取り付けられる可撓性の部材である。操作体３先端には媒体ケース２４前方上部に引っ掛かる先端ロック部２７が形成されている。操作体３後端には前記媒体ケース２４の取付部２９に引っ掛かる中間固定部３０が設けられている。操作体３上面後部には上面に突出した操作片２が設けられている。また、図６に示すように操作片２付近の左右前方上面には小さな突起部４がそれぞれに設けられている。操作体３中間部は前記突起部４が下方へ沈むように媒体本体９上面から浮いた状態となっている。
ベルト体７は、金属や合成樹脂の薄く細長い可撓性のものである。一端は図３に示すように前記媒体ケース２４の取付部２９に前記中間固定部３０と一緒に狭持されるベルトフック部３１となっている。また、ベルト体７全体はケース本体１内を曲がりながら移動し、他端が作用部１８となっている。
ケース本体１は前記媒体本体９を移動可能に収納するものであり、左右に分離する構造となっており、図１乃至図４に示すように前記媒体本体９の差込端子部１０を出し入れ可能な開口部１１と、前記媒体本体９の操作片２上端部が突出した状態で前後に移動する為の操作ガイド口６を形成するものである。
ケース本体１の一側面には露出窓１７とランプ窓１５が設けられている。この露出窓１７とランプ窓１５は媒体本体９を使用位置にした際に指紋認証部１６および動作ランプ１４がそれぞれ露出する位置に設けられている。
図３乃至図４に示すように、ケース本体１の前方天板３２の操作ガイド口６付近左右に前方ロック溝１２が下方から設けられている。これは、前記差込端子部１０を露出した状態で前記操作体３の突起部４が嵌合する位置および形状となっている。また、後方天板３５の操作ガイド口６付近左右に後方ロック溝５が下方から設けられている。これは、前記差込端子部１０を収納した状態で前記操作体３の突起部４が嵌合する位置および形状となっている。
ケース本体１の周壁のうち後方上部から後壁、下壁、前壁へ連続し、ケース本体１の開口部１１につながるように位置し、前記ベルト体７が前記媒体本体９の移動操作にあわせて移動するようにベルトガイド部８が形成されている。ベルトガイド部８の後部挿入壁には、図３に示すように媒体本体９の後部への移動を止める後部媒体ストッパー１９が形成されている。
ケース本体１には媒体ケース２４が移動可能に収納されるケース収納部が形成されるが、移動時の摩擦力を軽減するために左右内壁には上下水平方向にガイド体３３がそれぞれ設けられている。この際、ガイド部間の幅は、前記媒体本体９の幅に合わせたものである。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が後方天板（３５）に設けられている後方ロック溝（５）から外れ、その状態を維持しながら前方に移動させることにより、操作体（３）が操作ガイド口（６）に沿って前方に移動する。その際、ベルト体（７）がベルトガイド部（８）に沿って連動移動する。媒体本体（９）収納時においては図４に示すようにベルト体（７）の作用部（１８）が開口部（１１）を覆っているが、移動に伴い作用部（１８）は開口部（１１）を開放するようにケース本体（１）内に引き込まれる。媒体本体（９）に有した差込端子部（１０）がケース本体（１）に設けられた開口部（１１）から完全に露出した状態で操作片（２）を離すと前方天板（３２）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている動作ランプ（１４）は媒体本体（９）が使用できる状態でケース本体（１）に設けられたランプ窓（１５）から視認可能であり、媒体本体（９）に設けられている指紋認証部（１６）は、媒体本体（９）が使用できる状態でケース本体（１）に設けられた露出窓（２１）から指紋認証操作可能となるものである。
また、差込端子部（１０）を収納させるには、ケース本体（１）から露出している操作片（２）を押し、そのことで操作体（３）が撓み操作体（３）に設けられている突起部（４）が前方天板（３２）に設けられている前方ロック溝（１２）から外れ、その状態を維持しながら後方に移動させることにより、操作体（３）が操作ガイド口（６）に沿って後方に移動する。その際、ベルト体（７）がベルトガイド部（８）に沿って連動移動する。ケース本体（１）に設けられた開口部（１１）に作用部（１８）が完全に閉じた状態で操作片（２）を離すと後方天板（３５）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）設けられているので作用部（１８）も抜け落ちることはない。【００１２】  以下、本発明の第２実施例の形態について図７から図１２を用いて説明する。
図７は本発明の別実施例を示す差込端子部と挿入開口部および挿入口部が露出した状態の斜視図、図８は本発明の別実施例を示す差込端子部と挿入開口部および挿入口部を収納した状態の斜視図、図９は本発明の図７の要部縦断面図、図１０は本発明の図８の要部縦断面図、図１１は本発明の図１０のＡ−Ａ線要部断面図、図１２は本発明の図１０の要部を示す斜視図である。
本発明は媒体本体９と、ケース本体１と、操作体３と、ベルト体７とより構成される。
媒体本体９は、記憶カード２３等を挿入可能な挿入機構を有しかつ、コンピュータに設けられている接続口に接続可能な差込端子部１０を有し接続により利用される外部カードリーダー・ライター等の媒体本体９である。本事例においては、記憶カード２３を挿入可能な挿入機構を有するカードリーダー・ライターとして以下説明する。
媒体本体９は、差込端子部１０と記憶カード２３を挿入可能な挿入機構を有する内部構造よりなり、差込端子部１０を露出した状態となるように内部構造を覆う媒体ケース２４により構成される。
媒体ケース２４の上面には記憶カード２３を挿入可能な挿入口部３４が設けられている。
操作体３は、媒体ケース２４左側面に取り付けられる弾力性の部材である。操作体３上面後部には上面に突出した操作片２が設けられている。また、図１２に示すように操作片２後部の左右には小さな突起部４がそれぞれに設けられている。操作体３は媒体ケース２４左側面に外れないように差し込んであり、前記操作体３の後端と前記突起部４が内側に沈むように媒体ケース２４の左側面の後端付近が凹形状となっている。
ベルト体７は、金属や合成樹脂の薄く細長い可撓性のものである。ベルト体７先端には媒体ケース２４前方上部に引っ掛かる先端ロック部２７が形成されている。図１２に示すように前記記憶カード２３を挿入可能な挿入開口部２２が上面に設けてある。また、ベルト体７全体はケース本体１内を曲がりながら移動し、他端が作用部１８となっている。
ケース本体１は、前記媒体本体９を移動可能に収納するものであり、左右に分離する構造となっており、図７乃至図１０に示すように前記媒体本体９の差込端子部１０を出し入れ可能な開口部１１と、前記媒体本体９の操作片２上端部が突出した状態で前後に移動する為の操作ガイド口６を形成するものである。
図１１に示すように、左側面の操作ガイド口６付近左右に前方ロック溝１２が内面から設けられている。これは前記差込端子部１０を露出した状態で前記操作体３の突起部４が嵌合する位置および形状となっている。また、操作ガイド口６付近左右に後方ロック溝５が内面から設けられている。これは前記差込端子部１０を収納した状態で前記操作体３の突起部４が嵌合する位置および形状となっている。
ケース本体１の周壁のうち後方上部から後壁、下壁、前壁へ連続し、ケース本体１の開口部１１につながるように位置し、前記ベルト体７が前記媒体本体９の移動操作にあわせて移動するようにベルトガイド部８が形成されている。ベルトガイド部８の後部挿入壁には、図９に示すように媒体本体９の後部への移動を止める後部媒体ストッパー１９が形成されている。
ケース本体１には媒体ケース２４が移動可能に収納されるケース収納部が形成されるが、移動時の摩擦力を軽減するために左右内壁には上下水平方向にガイド体３３がそれぞれ設けられている。この際、ガイド部間の幅は、前記媒体本体（９）の幅に合わせたものである。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が操作ガイド口（６）に設けられている後方ロック溝（５）から外れ、その状態を維持しながら前方に移動させることにより、操作体（３）が操作ガイド口（６）に沿って前方に移動する。その際、ベルト体（７）がベルトガイド部（８）に沿って連動移動する。媒体本体（９）収納時においては図１０に示すようにベルト体（７）の作用部（１８）が開口部（１１）を覆っているが、移動に伴い作用部（１８）は開口部（１１）を開放するようにケース本体（１）内に引き込まれる。媒体本体（９）に有した差込端子部（１０）がケース本体（１）に設けられた開口部（１１）から完全に露出した状態で操作片（２）を離すと操作ガイド口（６）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている挿入口部（３４）並びにベルト体（７）に設けられている挿入開口部（２２）は媒体本体（９）が使用できる状態でケース本体（１）上面に設けられた挿入口（２１）から記憶カード（２３）を挿入可能となるものである。
また、差込端子部（１０）を収納させるには、ケース本体（１）から露出している操作片（２）を押し、そのことで操作体（３）が撓み操作体（３）に設けられている突起部（４）が操作ガイド口（６）に設けられている前方ロック溝（１２）から外れ、その状態を維持しながら後方に移動させることにより、操作体（３）が操作ガイド口（６）に沿って後方に移動する。その際、ベルト体（７）がベルトガイド部（８）に沿って連動移動する。ケース本体（１）に設けられた開口部（１１）に作用部（１８）が完全に閉じた状態で操作片（２）を離すと操作ガイド口（６）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）も設けられているので作用部（１８）も抜け落ちることはない。【００１３】  以下、本発明の第３実施例の形態について図１３から図１９を用いて説明する。
図１３は本発明の別実施例を示す差込端子部が収納した状態を示す斜視図、図１４は本発明の別実施例を示す差込端子部の収納から露出への途中経過を示す斜視図、図１５は本発明の別実施例を示す差込端子部を露出した状態を示す斜視図、図１６は本発明の別実施例を示す要部縦断面図、図１７は本発明の別実施例を示す要部縦断面図、図１８は本発明の別実施例を示す要部縦断面図、図１９は本発明の図１６の要部を示す斜視図である。
本発明は媒体本体９と、ケース本体１と、操作体３と、ベルト体７とより構成される。
媒体本体９は、コンピュータに設けられている接続口に接続可能な差込端子部１０を有し接続により利用される外部記憶、外部認証、外部サスティック等の媒体本体９である。本事例においては、指紋認証機能を有する記憶媒体として以下説明する。
媒体本体９は、差込端子部１０と内部構造よりなり、差込端子部１０を露出した状態となるように内部構造を覆う媒体ケース２４により構成されている。
媒体ケース２４の側面には指紋認証機能を果たす指紋認証部１６が設けられている。また、動作ランプ１４も側面に設けられている。
媒体ケース２４の上面後部には凹状のベルト体７を移動可能にする遊動凹部２５が形成されている。
操作体３は、媒体ケース２４上部に取り付けられる可撓性の部材である。操作体３先端には媒体ケース２４前方上部に引っ掛けてケース本体１の中に前記媒体ケース２４を引き戻す為の先端ロック部２７が形成されている。操作体３は図１６に示すようにベルト体７と一体構造で形成されている。操作体３上面後部には上面に突出した操作片２が設けられている。また、図１９に示すように操作片２付近の左右前方上面には小さな突起部４がそれぞれに設けられている。操作体３中間部は前記突起部４が下方へ沈むように媒体本体９上面から浮いた状態となっている。
ベルト体７は、金属や合成樹脂の薄く細長い可撓性のものである。一端は図１６に示すように前記操作体３と一体構造で形成されており、作用ストッパー２６が前記媒体ケース２４の上面後部に設けられた前記ベルト体７を移動可能にする遊動凹部２５間で前後に移動するものである。また、ベルト体７全体はケース本体１内を曲がりながら移動し、他端が作用部１８となっている。
ケース本体１は、第１実施例の形態と同様の構成よりなっている。但し、長さだけは図１６に示すように、媒体本体９収納時の差込端子部１０先端部と開口部１１間の遊び幅がなくなるように短くなっている。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が後方天板（３５）に設けられている後方ロック溝（５）から外れ、その状態を維持しながら前方に移動させることにより、操作体（３）が操作ガイド口（６）、ベルト体（７）がベルトガイド部（８）に沿って前方に移動する。その際、媒体本体（９）は直ぐには連動移動はせずに図１６乃至図１７に示すように媒体ケース（２４）の上面後部付近に設けられている遊動凹部（２５）間で先に操作体（３）とベルト体（７）が移動し、それに合わせて作用ストッパー（２６）が遊動凹部（２５）の後方端部から前方端部、先端ロック部（２７）が先端ロック受け口（２８）へと移動する。それらの移動に伴い媒体本体（９）収納時においてはベルト体（７）の作用部（１８）が開口部（１１）を覆っているが、作用部（１８）も開口部（１１）を開放するようにケース本体（１）内に引き込まれる。また、作用ストッパー（２６）が遊動凹部（２５）の後方端部から前方端部に移動しきった時点で先端ロック部（２７）も先端ロック受け口（２８）に引っ掛かることとなる。そしてこの時点から媒体本体（９）も一緒に連動移動可能となり前記操作体（３）と前記ベルト体（７）と前記作用ストッパー（２６）と、ともに連動移動することとなる。媒体本体（９）に有した差込端子部（１０）がケース本体（１）に設けられた開口部（１１）から完全に露出した状態で操作片（２）を離すと前方天板（３２）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている動作ランプ（１４）は媒体本体（９）が使用できる状態でケース本体（１）に設けられたランプ窓（１５）から視認可能であり、媒体本体（９）に設けられている指紋認証部（１６）は、媒体本体（９）が使用できる状態でケース本体（１）に設けられた露出窓（１７）から指紋認証操作可能となるものである。
また、差込端子部（１０）を収納させるには、ケース本体（１）から露出している操作片（２）を押し、そのことで操作体（３）が撓み操作体（３）に設けられている突起部（４）が前方天板（３２）に設けられている前方ロック溝（１２）から外れ、その状態を維持しながら後方に移動させることにより、操作体（３）が操作ガイド口（６）、ベルト体（７）がベルトガイド部（８）に沿って後方に移動する。それに伴い媒体本体（９）も途中まで連動移動する。媒体本体（９）が後部媒体ストッパー（１９）に接触した時点で媒体本体（９）は連動移動から解除されて停止する。そこから更に操作体（３）とベルト体（７）を後方に移動させることで先端ロック部（２７）が先端ロック受け口（２８）からロックが解除されて、それに合わせて作用ストッパー（２６）も遊動凹部（２５）の前方端部から後方端部に移動可能となる。ケース本体（１）に設けられた開口部（１１）に作用部（１８）が完全に閉じた状態で操作片（２）を離すと後方天板（３５）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）設けられているので作用部（１８）も抜け落ちることはない。
尚、上記各実施例として差込端子部１０はＵＳＢ対応のものとして図示したが、これに限定されず、各種形状の差込端子部１０に利用することもできる。
【図面の簡単な説明】
【００１４】
【図１】  本発明の第１実施例の差込端子部が露出した状態を示す斜視図
【図２】  本発明の第１実施例の差込端子部を収納した状態を示す斜視図
【図３】  本発明の第１実施例の図１の要部縦断面図
【図４】  本発明の第１実施例の図２の要部縦断面図
【図５】  本発明の第１実施例の図４のＡ−Ａ線要部断面図
【図６】  本発明の第１実施例の要部を示す斜視図
【図７】  本発明の第２実施例の別実施例を示す差込端子部と挿入口が露出した状態の斜視図
【図８】  本発明の第２実施例の別実施例を示す差込端子部と挿入口を収納した状態の斜視図
【図９】  本発明の第２実施例の図７の要部縦断面図
【図１０】  本発明の第２実施例の図８の要部縦断面図
【図１１】  本発明の第２実施例の図１０のＡ−Ａ線要部断面図
【図１２】  本発明の第２実施例の要部を示す斜視図
【図１３】  本発明の第３実施例の別実施例を示す差込端子部が収納した状態を示す斜視図
【図１４】  本発明の第３実施例の別実施例を示す差込端子部の収納から露出への途中経過を示す斜視図
【図１５】  本発明の第３実施例の別実施例を示す差込端子部を露出した状態を示す斜視図
【図１６】  本発明の第３実施例の別実施例を示す要部縦断面図
【図１７】  本発明の第３実施例の別実施例を示す要部縦断面図
【図１８】  本発明の第３実施例の別実施例を示す要部縦断面図
【図１９】  本発明の第３実施例の要部を示す斜視図
【図２０】  従来品の参考斜視図
【符号の説明】
【００１５】  １ケース本体
２操作片
３操作体
４突起部
５後方ロック溝
６操作ガイド口
７ベルト体
８ベルトガイド部
９媒体本体
１０差込端子部
１１開口部
１２前方ロック溝
１３前部媒体ストッパー
１４動作ランプ
１５ランプ窓
１６指紋認証部
１７露出窓
１８作用部
１９後部媒体ストッパー
２０作用部ストッパー
２１挿入口
２２挿入開口部
２３記憶カード
２４媒体ケース
２５遊動凹部
２６作用ストッパー
２７先端ロック部
２８先端ロック受け口
２９取付部
３０中間固定部
３１ベルトフック部
３２前方天板
３３ガイド体
３４挿入口部
３５後方天板
３６キャップ蓋
【図１】
2007066289.tif 000003
【図２】
2007066289.tif 000004
【図３】
2007066289.tif 000005
【図４】
2007066289.tif 000006
【図５】
2007066289.tif 000007
【図６】
2007066289.tif 000008
【図７】
2007066289.tif 000009
【図８】
2007066289.tif 000010
【図９】
2007066289.tif 000011
【図１０】
2007066289.tif 000012
【図１１】
2007066289.tif 000013
【図１２】
2007066289.tif 000014
【図１３】
2007066289.tif 000015
【図１４】
2007066289.tif 000016
【図１５】
2007066289.tif 000017
【図１６】
2007066289.tif 000018
【図１７】
2007066289.tif 000019
【図１８】
2007066289.tif 000020
【図１９】
2007066289.tif 000021
【図２０】
2007066289.tif 000022
【手続補正書】
【提出日】平成18年4月26日(2006.4.26)
【手続補正１】
【補正対象書類名】図面
【補正対象項目名】図１４
【補正方法】変更
【補正の内容】
【図１４】
2007066289.tif 000023
【手続補正書】
【提出日】平成18年5月26日(2006.5.26)
【手続補正１】
【補正対象書類名】特許請求の範囲
【補正対象項目名】請求項１
【補正方法】変更
【補正の内容】
【請求項１】
コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成され、前記媒体本体の移動操作と連動して移動させることにより前記媒体本体を前記移動可能に収納するケース本体に収納した状態で前記ベルト体作用部が前記開口部を塞ぎ、前記差込端子部を露出した状態で前記開口部が開口状態となるものであることを特徴とするケース収納媒体。
【手続補正２】
【補正対象書類名】特許請求の範囲
【補正対象項目名】請求項２
【補正方法】変更
【補正の内容】
【請求項２】
コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記媒体本体と前記ベルト体の接続部に設けられるベルト体の作用部が前記ケース本体の開口部移動間に前記媒体本体と前記ベルト体の連動を解除する連動解除機構とより構成され、前記媒体本体の移動操作と連動して移動させることにより前記媒体本体を前記移動可能に収納するケース本体に収納した状態で前記ベルト体作用部が前記開口部を塞ぎ、前記差込端子部を露出した状態で前記開口部が開口状態となるものであることを特徴とするケース収納媒体。
【手続補正３】
【補正対象書類名】明細書
【補正対象項目名】０００４
【補正方法】変更
【補正の内容】
【０００４】  コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成する。そして、前記媒体本体の移動操作と連動して移動させることにより前記媒体本体を前記移動可能に収納するケース本体に収納した状態で前記ベルト体作用部が前記開口部を塞ぎ、前記差込端子部を露出した状態で前記開口部が開口状態とする。
【手続補正４】
【補正対象書類名】明細書
【補正対象項目名】０００５
【補正方法】変更
【補正の内容】
【０００５】  コンピュータ接続口に接続可能な差込端子部を有し接続により利用される外部記憶、外部認証、外部カードリーダー・ライター、外部サスティック等の媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記媒体本体と前記ベルト体の接続部に設けられるベルト体の作用部が前記ケース本体の開口部移動間に前記媒体本体と前記ベルト体の連動を解除する連動解除機構とより構成する。そして、前記媒体本体の移動操作と連動して移動させることにより前記媒体本体を前記移動可能に収納するケース本体に収納した状態で前記ベルト体作用部が前記開口部を塞ぎ、前記差込端子部を露出した状態で前記開口部が開口状態とする。
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
コンピュータ接続口に接続可能な差込端子部を有し接続により利用される媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成され、前記媒体本体の移動操作と連動して移動させることにより前記媒体本体を前記移動可能に収納するケース本体に収納した状態で前記ベルト体の作用部が前記開口部を塞ぎ、前記差込端子部を露出した状態で前記開口部が開口状態となるものであることを特徴とするケース収納媒体。
【請求項２】
コンピュータ接続口に接続可能な差込端子部を有し接続により利用される媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記ベルト体の作用部が前記ケース本体の開口部を移動する間に前記媒体本体と前記ベルト体の連動を解除する連動解除機構とより構成され、前記媒体本体の移動操作と連動して移動させることにより前記媒体本体を前記移動可能に収納するケース本体に収納した状態で前記ベルト体の作用部が前記開口部を塞ぎ、前記差込端子部を露出した状態で前記開口部が開口状態となるものであることを特徴とするケース収納媒体。
【請求項３】
開口部をベルト体の作用部が塞いだ状態で止める蓋ロック機構を設けたことを特徴とする請求項１又は２記載のケース収納媒体。
【請求項４】
媒体本体に書込制御機能、指紋認証機能、記憶カード挿入機能の補助操作機能の少なくとも一つを更に備え、ケース本体に少なくとも差込端子部を露出した状態で前記補助操作機能が操作可能に露出させるための開口部を備えたことを特徴とする請求項１、２又は３記載のケース収納媒体。
【請求項５】
媒体本体は動作ランプを具備したものであり、ケース本体は少なくとも使用時において該動作ランプ位置がランプ発光を視認できることを特徴とする請求項１、２又は３乃至４記載のケース収納媒体。
【請求項６】
媒体本体は液晶等表示機能を具備したものであり、ケース本体は少なくとも使用時において該液晶等表示機能位置が表示発光を視認できることを特徴とする請求項１、２又は３乃至５記載のケース収納媒体。
【手続補正２】
【補正対象書類名】明細書
【補正対象項目名】全文
【補正方法】変更
【補正の内容】
【発明の詳細な説明】
【技術分野】
【０００１】  本発明は、コンピュータ接続口に接続可能な差込端子部を有し接続により利用される媒体本体に関するものである。
媒体本体としては、記憶媒体本体、認証媒体本体、カードリーダー・ライターが知られている。
【背景技術】
【０００２】  従来から、記憶媒体本体、認証媒体本体、カードリーダー・ライター等の媒体本体の多くは、差込端子部の変形や破損およびホコリや異物等の侵入から保護する目的として、図２０に示すように使用する際に分離する構造の一般的なキャップ蓋３６が広く用いられている。
また、一部の記憶媒体本体には、使用する際においても分離しない構造のＵ字板状の蓋を回転させる機構により差込端子部の変形や破損およびホコリや異物等の侵入から保護し、更に一部の記憶媒体本体には、使用する際においても分離しない構造の差込端子部保護部材と摺動機構により差込端子部の変形や破損から保護する発明が知られている（特許文献１乃至４、非特許文献１乃至５）。
【特許文献１】  特開２００２−０４１２４７号公報
【特許文献２】  特開２００４−５４０７号公報
【特許文献３】  特開２００４−２２１０４８号公報
【特許文献４】  特開２００５−９２７４５号公報
【非特許文献１】  「月刊アスキー」株式会社アスキー出版、２００４年７月１日発行、Ｐ９７
【非特許文献２】  「月刊アスキー」株式会社アスキー出版、２００４年８月１日発行、Ｐ１２２
【非特許文献３】  「日経産業新聞」株式会社日本経済新聞社、２００４年１２月１７日発行、Ｐ４
【非特許文献４】  「週刊アスキー」株式会社アスキー出版、２００５年５月３１日号発行、Ｐ９１
【非特許文献５】  「ＡＳＡＨＩパソコン」朝日新聞社出版、２００５年７月１日号発行、Ｐ１１９
【発明の開示】
【発明が解決しようとする課題】
【０００３】  その為に次のような問題点があった。
（イ）既存の記憶媒体本体、認証媒体本体、カードリーダー・ライター等の媒体本体の多くは、各媒体本体を使用する際に差込端子部保護キャップ蓋と各媒体本体とが分離する構造から、外した差込端子部保護キャップ蓋を紛失する可能性が非常に高く、更に差込端子部保護キャップ蓋の脱着には両手を使わなければならない。
（ロ）一部の記憶媒体本体には、差込端子部保護キャップ蓋と記憶媒体本体とをチェーンで連結することにより外した差込端子部保護キャップ蓋の紛失防止に努めているが、チェーンが絡まったり、引っ掛かったりして扱いづらい。また、差込端子部保護キャップ蓋の脱着には両手を使わなければならない。
（ハ）一部の記憶媒体本体には、使用する際においても分離しない構造のＵ字板状の差込端子部保護蓋を回転させる機構により差込端子部保護蓋の紛失防止に努めているが、片手でＵ字板状の差込端子部保護蓋を回転させるには非常にやりにくく、しかも記憶媒体本体の長さが短い製品にしか向かない。それは、記憶媒体本体の長さを長くすると必然的に両手を使わざるを得ないからである。
（ニ）一部の記憶媒体本体には、使用する際においても分離しない構造の差込端子部保護部材と摺動機構により差込端子部保護蓋の紛失防止に努めているが、差込端子部収納時において差込端子部保護部材に蓋等の覆い隠すものが何も設けられておらず、差込端子部を摺動露出させる為の開口部が完全に開口している状態であるが為に、差込端子部にホコリや異物等が侵入し、それ故に破損や変形する可能性が非常に高い。
本発明は、これらの問題点を解決するためになされたものである。
【課題を解決するための手段】
【０００４】  コンピュータ接続口に接続可能な差込端子部を有し接続により利用される媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構とより構成する。そして、前記媒体本体の移動操作と連動して移動させることにより前記媒体本体を前記移動可能に収納するケース本体に収納した状態で前記ベルト体の作用部が前記開口部を塞ぎ、前記差込端子部を露出した状態で前記開口部が開口状態とする。【０００５】  コンピュータ接続口に接続可能な差込端子部を有し接続により利用される媒体本体と、前記差込端子部を出し入れ可能な開口部を有し前記媒体本体を移動可能に収納するケース本体と、前記媒体本体の移動操作をする操作手段と、前記媒体本体に連動して移動するとともに前記媒体本体を前記移動可能に収納するケース本体の開口部を覆うことができる幅の作用部を有する可撓性のベルト体と、前記ベルト体の作用部を前記開口部へ導くように前記ケース本体内に設けられたガイド部と、前記差込端子部を露出した状態で止めるロック機構と、前記ベルト体の作用部が前記ケース本体の開口部を移動する間に前記媒体本体と前記ベルト体の連動を解除する連動解除機構とより構成する。そして、前記媒体本体の移動操作と連動して移動させることにより前記媒体本体を前記移動可能に収納するケース本体に収納した状態で前記ベルト体の作用部が前記開口部を塞ぎ、前記差込端子部を露出した状態で前記開口部が開口状態とする。【０００６】  開口部をベルト体の作用部が塞いだ状態で止める蓋ロック機構を設ける。【０００７】  媒体本体に書込制御機能、指紋認証機能、記憶カード挿入機能等の補助操作機能の少なくとも一つを更に備え、ケース本体に少なくとも差込端子部を露出した状態で前記補助操作機能が操作可能に露出させるための開口部を備える。【０００８】  媒体本体は動作ランプを具備する。そして、ケース本体は少なくとも使用時において該動作ランプ位置がランプ発光を視認できる透明な材料で構成し、外側から内側を見ることができるようにする。または、少なくとも使用時において該動作ランプ位置がランプ発光を視認できる開口部をケース本体に設けて外側から内側を見ることができるようにしてもよい。【０００９】  媒体本体は液晶等表示機能を具備する。そして、ケース本体は少なくとも使用時において該液晶等表示機能位置が表示発光を視認できる可透性を備える。以上を特徴とするケース収納媒体である。
【発明の効果】
【００１０】  本発明により、差込端子部保護キャップ蓋の脱着に両手を使うというわずらわしさがなくなるとともに差込端子部保護キャップ蓋の紛失ということもなくなり、片手で簡単に差込端子部の出し入れの操作ができ、また、差込端子部収納時には差込端子部の変形や破損及びホコリや異物等の侵入から保護することが可能となる。
【発明を実施するための最良の形態】
【００１１】  以下、本発明の第１実施例の形態について図１から図６を用いて説明する。
図１は本発明の差込端子部が露出した状態を示す斜視図、図２は本発明の差込端子部を収納した状態を示す斜視図、図３は本発明の図１の要部縦断面図、図４は本発明の図２の要部縦断面図、図５は本発明の図４のＡ−Ａ線要部断面図、図６は本発明の図４の要部を示す斜視図である。
本発明は媒体本体９と、ケース本体１と、操作体３と、ベルト体７とより構成される。媒体本体９は、コンピュータに設けられている接続口に接続可能な差込端子部１０を有し接続により利用される外部記憶媒体本体、外部認証媒体本体等の媒体本体９である。本事例においては、指紋認証機能を有する外部記憶媒体本体として以下説明する。
媒体本体９は、差込端子部１０と内部構造よりなり、差込端子部１０を露出した状態となるように内部構造を覆う媒体ケース２４により構成されている。
媒体ケース２４の側面には指紋認証機能を果たす指紋認証部１６が設けられている。また、動作ランプ１４も側面に設けられている。
媒体ケース２４の上面後部には凹状の取付部２９が形成されている。
操作体３は、媒体ケース２４上部に取り付けられる可撓性の部材である。操作体３先端には媒体ケース２４前方上部に引っ掛かる先端ロック部２７が形成されている。操作体３後端には前記媒体ケース２４の取付部２９に引っ掛かる中間固定部３０が設けられている。操作体３上面後部には上面に突出した操作片２が設けられている。また、図６に示すように操作片２付近の左右前方上面には小さな突起部４がそれぞれに設けられている。操作体３中間部は前記突起部４が下方へ沈むように媒体本体９上面から浮いた状態となっている。
ベルト体７は、金属や合成樹脂の薄く細長い可撓性のものである。一端は図３に示すように前記媒体ケース２４の取付部２９に前記中間固定部３０と一緒に狭持されるベルトフック部３１となっている。また、ベルト体７全体はケース本体１内を曲がりながら移動し、他端が作用部１８となっている。
ケース本体１は前記媒体本体９を移動可能に収納するものであり、左右に分離する構造となっており、図１乃至図４に示すように前記媒体本体９の差込端子部１０を出し入れ可能な開口部１１と、操作体３上面後部に設けられている操作片２上端部が突出した状態で前後に移動する為の操作ガイド口６を形成するものである。
ケース本体１の一側面には露出窓１７とランプ窓１５が設けられている。この露出窓１７とランプ窓１５は媒体本体９を使用位置にした際に指紋認証部１６および動作ランプ１４がそれぞれ露出する位置に設けられている。
図３乃至図４に示すように、ケース本体１の前方天板３２の操作ガイド口６付近左右に前方ロック溝１２が下方から設けられている。これは、前記差込端子部１０を露出した状態で前記操作体３の突起部４が嵌合する位置および形状となっている。また、後方天板３５の操作ガイド口６付近左右に後方ロック溝５が下方から設けられている。これは、前記差込端子部１０を収納した状態で前記操作体３の突起部４が嵌合する位置および形状となっている。
ケース本体１の周壁のうち後方上部から後壁、下壁、前壁へ連続し、ケース本体１の開口部１１につながるように位置し、前記ベルト体７が前記媒体本体９の移動操作にあわせて移動するようにベルトガイド部８が形成されている。ベルトガイド部８の後部挿入壁には、図３に示すように媒体本体９の後部への移動を止める後部媒体ストッパー１９が形成されている。
ケース本体１には媒体ケース２４が移動可能に収納されるケース収納部が形成されるが、移動時の摩擦力を軽減するために左右内壁には上下水平方向にガイド体３３がそれぞれ設けられている。この際、ガイド部間の幅は、前記媒体本体９の幅に合わせたものである。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が後方天板（３５）に設けられている後方ロック溝（５）から外れ、その状態を維持しながら前方に移動させることにより、操作体（３）が操作ガイド口（６）に沿って前方に移動する。その際、ベルト体（７）がベルトガイド部（８）に沿って連動移動する。媒体本体（９）収納時においては図４に示すようにベルト体（７）の作用部（１８）が開口部（１１）を覆っているが、移動に伴い作用部（１８）は開口部（１１）を開放するようにケース本体（１）内に引き込まれる。媒体本体（９）に有した差込端子部（１０）がケース本体（１）に設けられた開口部（１１）から完全に露出した状態で操作片（２）を離すと前方天板（３２）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている動作ランプ（１４）は媒体本体（９）が使用できる状態でケース本体（１）に設けられたランプ窓（１５）から視認可能であり、媒体本体（９）に設けられている指紋認証部（１６）は、媒体本体（９）が使用できる状態でケース本体（１）に設けられた露出窓（２１）から指紋認証操作可能となるものである。
また、差込端子部（１０）を収納させるには、ケース本体（１）から露出している操作片（２）を押し、そのことで操作体（３）が撓み操作体（３）に設けられている突起部（４）が前方天板（３２）に設けられている前方ロック溝（１２）から外れ、その状態を維持しながら後方に移動させることにより、操作体（３）が操作ガイド口（６）に沿って後方に移動する。その際、ベルト体（７）がベルトガイド部（８）に沿って連動移動する。ケース本体（１）に設けられた開口部（１１）に作用部（１８）が完全に閉じた状態で操作片（２）を離すと後方天板（３５）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）も設けられているので作用部（１８）も抜け落ちることはない。【００１２】  以下、本発明の第２実施例の形態について図７から図１２を用いて説明する。
図７は本発明の別実施例を示す差込端子部と挿入開口部および挿入口部が露出した状態の斜視図、図８は本発明の別実施例を示す差込端子部と挿入開口部および挿入口部を収納した状態の斜視図、図９は本発明の図７の要部縦断面図、図１０は本発明の図８の要部縦断面図、図１１は本発明の図１０のＡ−Ａ線要部断面図、図１２は本発明の図１０の要部を示す斜視図である。
本発明は媒体本体９と、ケース本体１と、操作体３と、ベルト体７とより構成される。媒体本体９は、記憶カード２３等を挿入可能な挿入機能を有しかつ、コンピュータに設けられている接続口に接続可能な差込端子部１０を有し接続により利用される外部カードリーダー・ライター等の媒体本体９である。本事例においては、記憶カード２３を挿入可能な挿入機能を有するカードリーダー・ライターとして以下説明する。
媒体本体９は、差込端子部１０と記憶カード２３を挿入可能な挿入機能を有する内部構造よりなり、差込端子部１０を露出した状態となるように内部構造を覆う媒体ケース２４により構成される。
媒体ケース２４の上面には記憶カード２３を挿入可能な挿入口部３４が設けられている。
操作体３は、媒体ケース２４左側面に取り付けられる弾力性の部材である。操作体３上面後部には上面に突出した操作片２が設けられている。また、図１２に示すように操作片２後部の左右には小さな突起部４がそれぞれに設けられている。操作体３は媒体ケース２４左側面に外れないように差し込んであり、前記操作体３の後端と前記突起部４が内側に沈むように媒体ケース２４の左側面の後端付近が凹形状となっている。
ベルト体７は、金属や合成樹脂の薄く細長い可撓性のものである。ベルト体７先端には媒体ケース２４前方上部に引っ掛かる先端ロック部２７が形成されている。図１２に示すように前記記憶カード２３を挿入可能な挿入開口部２２が上面に設けてある。また、ベルト体７全体はケース本体１内を曲がりながら移動し、他端が作用部１８となっている。
ケース本体１は、前記媒体本体９を移動可能に収納するものであり、左右に分離する構造となっており、図７乃至図１０に示すように前記媒体本体９の差込端子部１０を出し入れ可能な開口部１１と、操作体３上面後部に設けられている操作片２上端部が突出した状態で前後に移動する為の操作ガイド口６を形成するものである。
図１１に示すように、左側面の操作ガイド口６付近左右に前方ロック溝１２が内面から設けられている。これは前記差込端子部１０を露出した状態で前記操作体３の突起部４が嵌合する位置および形状となっている。また、操作ガイド口６付近左右に後方ロック溝５が内面から設けられている。これは前記差込端子部１０を収納した状態で前記操作体３の突起部４が嵌合する位置および形状となっている。
ケース本体１の周壁のうち後方上部から後壁、下壁、前壁へ連続し、ケース本体１の開口部１１につながるように位置し、前記ベルト体７が前記媒体本体９の移動操作にあわせて移動するようにベルトガイド部８が形成されている。ベルトガイド部８の後部挿入壁には、図９に示すように媒体本体９の後部への移動を止める後部媒体ストッパー１９が形成されている。
ケース本体１には媒体ケース２４が移動可能に収納されるケース収納部が形成されるが、移動時の摩擦力を軽減するために左右内壁には上下水平方向にガイド体３３がそれぞれ設けられている。この際、ガイド部間の幅は、前記媒体本体（９）の幅に合わせたものである。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が操作ガイド口（６）に設けられている後方ロック溝（５）から外れ、その状態を維持しながら前方に移動させることにより、操作体（３）が操作ガイド口（６）に沿って前方に移動する。その際、ベルト体（７）がベルトガイド部（８）に沿って連動移動する。媒体本体（９）収納時においては図１０に示すようにベルト体（７）の作用部（１８）が開口部（１１）を覆っているが、移動に伴い作用部（１８）は開口部（１１）を開放するようにケース本体（１）内に引き込まれる。媒体本体（９）に有した差込端子部（１０）がケース本体（１）に設けられた開口部（１１）から完全に露出した状態で操作片（２）を離すと操作ガイド口（６）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている挿入口部（３４）並びにベルト体（７）に設けられている挿入開口部（２２）は媒体本体（９）が使用できる状態でケース本体（１）上面に設けられた挿入口（２１）から記憶カード（２３）を挿入可能となるものである。
また、差込端子部（１０）を収納させるには、ケース本体（１）から露出している操作片（２）を押し、そのことで操作体（３）が撓み操作体（３）に設けられている突起部（４）が操作ガイド口（６）に設けられている前方ロック溝（１２）から外れ、その状態を維持しながら後方に移動させることにより、操作体（３）が操作ガイド口（６）に沿って後方に移動する。その際、ベルト体（７）がベルトガイド部（８）に沿って連動移動する。ケース本体（１）に設けられた開口部（１１）に作用部（１８）が完全に閉じた状態で操作片（２）を離すと操作ガイド口（６）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）も設けられているので作用部（１８）も抜け落ちることはない。【００１３】  以下、本発明の第３実施例の形態について図１３から図１９を用いて説明する。
図１３は本発明の別実施例を示す差込端子部が収納した状態を示す斜視図、図１４は本発明の別実施例を示す差込端子部の収納から露出への途中経過を示す斜視図、図１５は本発明の別実施例を示す差込端子部を露出した状態を示す斜視図、図１６は本発明の図１３の要部縦断面図、図１７は本発明の図１４の要部縦断面図、図１８は本発明の図１５の要部縦断面図、図１９は本発明の図１６の要部を示す斜視図である。
本発明は媒体本体９と、ケース本体１と、操作体３と、ベルト体７と、連動解除機構（の遊動凹部２５）とより構成される。
媒体本体９は、コンピュータに設けられている接続口に接続可能な差込端子部１０を有し接続により利用される外部記憶媒体本体、外部認証媒体本体等の媒体本体９である。本事例においては、指紋認証機能を有する外部記憶媒体本体として以下説明する。
媒体本体９は、差込端子部１０と内部構造よりなり、差込端子部１０を露出した状態となるように内部構造を覆う媒体ケース２４により構成されている。
媒体ケース２４の側面には指紋認証機能を果たす指紋認証部１６が設けられている。また、動作ランプ１４も側面に設けられている。
媒体ケース２４の上面後部には凹状の操作体３と、ベルト体７を移動可能にする連動解除機構（の遊動凹部２５）が形成されている。
操作体３は、媒体ケース２４上部に取り付けられる可撓性の部材である。操作体３先端には媒体ケース２４前方上部に引っ掛けてケース本体１の中に前記媒体ケース２４を引き戻す為の先端ロック部２７が形成されている。操作体３は図１６に示すようにベルト体７と一体構造で形成されている。操作体３上面後部には上面に突出した操作片２が設けられている。また、図１９に示すように操作片２付近の左右前方上面には小さな突起部４がそれぞれに設けられている。操作体３中間部は前記突起部４が下方へ沈むように媒体本体９上面から浮いた状態となっている。
ベルト体７は、金属や合成樹脂の薄く細長い可撓性のものである。一端は図１６に示すように前記操作体３と一体構造で形成されており、作用ストッパー２６が前記媒体ケース２４の上面後部に設けられた操作体３と、ベルト体７を移動可能にする連動解除機構（の遊動凹部２５）間で前後に移動するものである。また、ベルト体７全体はケース本体１内を曲がりながら移動し、他端が作用部１８となっている。
ケース本体１は、第１実施例の形態と同様の構成よりなっている。但し、長さだけは図１６に示すように、媒体本体９収納時の差込端子部１０先端部と開口部１１間の遊び幅がなくなるように短くなっている。
本発明は、以上の構成よりなっている。
以下、使用方法について説明する。
本発明を使用する時には、ケース本体（１）から露出している操作片（２）を押すことで操作体（３）が撓み操作体（３）に設けられている突起部（４）が後方天板（３５）に設けられている後方ロック溝（５）から外れ、その状態を維持しながら前方に移動させることにより、操作体（３）が操作ガイド口（６）、ベルト体（７）がベルトガイド部（８）に沿って前方に移動する。その際、媒体本体（９）は直ぐには連動移動はせずに図１６乃至図１７に示すように媒体ケース（２４）の上面後部付近に設けられている連動解除機構の遊動凹部（２５）間で先に操作体（３）とベルト体（７）が移動し、それに合わせて作用ストッパー（２６）が連動解除機構の遊動凹部（２５）の後方端部から前方端部、先端ロック部（２７）が先端ロック受け口（２８）へと移動する。それらの移動に伴い媒体本体（９）収納時においてはベルト体（７）の作用部（１８）が開口部（１１）を覆っているが、作用部（１８）も開口部（１１）を開放するようにケース本体（１）内に引き込まれる。また、作用ストッパー（２６）が連動解除機構の遊動凹部（２５）の後方端部から前方端部に移動しきった時点で先端ロック部（２７）も先端ロック受け口（２８）に引っ掛かることとなる。そしてこの時点から媒体本体（９）も一緒に連動移動可能となり前記操作体（３）と前記ベルト体（７）と前記作用ストッパー（２６）と、ともに連動移動することとなる。媒体本体（９）に有した差込端子部（１０）がケース本体（１）に設けられた開口部（１１）から完全に露出した状態で操作片（２）を離すと前方天板（３２）に設けられている前方ロック溝（１２）に操作体（３）に設けられている突起部（４）が上がり前方ロック溝（１２）に入ることでロックされ媒体本体（９）を使用できる状態となる。尚、前部媒体ストッパー（１３）が設けられているので、媒体本体（９）が抜け落ちることはない。また、媒体本体（９）に設けられている動作ランプ（１４）は媒体本体（９）が使用できる状態でケース本体（１）に設けられたランプ窓（１５）から視認可能であり、媒体本体（９）に設けられている指紋認証部（１６）は、媒体本体（９）が使用できる状態でケース本体（１）に設けられた露出窓（１７）から指紋認証操作可能となるものである。
また、差込端子部（１０）を収納させるには、ケース本体（１）から露出している操作片（２）を押し、そのことで操作体（３）が撓み操作体（３）に設けられている突起部（４）が前方天板（３２）に設けられている前方ロック溝（１２）から外れ、その状態を維持しながら後方に移動させることにより、操作体（３）が操作ガイド口（６）、ベルト体（７）がベルトガイド部（８）に沿って後方に移動する。それに伴い媒体本体（９）も途中まで連動移動する。媒体本体（９）が後部媒体ストッパー（１９）に接触した時点で媒体本体（９）は連動移動から解除されて停止する。そこから更に操作体（３）とベルト体（７）を後方に移動させることで先端ロック部（２７）が先端ロック受け口（２８）からロックが解除されて、それに合わせて作用ストッパー（２６）も連動解除機構の遊動凹部（２５）の前方端部から後方端部に移動可能となる。ケース本体（１）に設けられた開口部（１１）に作用部（１８）が完全に閉じた状態で操作片（２）を離すと後方天板（３５）に設けられている後方ロック溝（５）に操作体（３）に設けられている突起部（４）が上がり後方ロック溝（５）に入ることでロックされ媒体本体（９）を収納した状態となる。尚、後部媒体ストッパー（１９）が設けられているので、媒体本体（９）が抜け落ちることはなく、作用部ストッパー（２０）も設けられているので作用部（１８）も抜け落ちることはない。
尚、上記各実施例として差込端子部１０はＵＳＢ対応のものとして図示したが、これに限定されず、各種形状の差込端子部１０に利用することもできる。
【図面の簡単な説明】
【００１４】
【図１】  本発明の第１実施例の差込端子部が露出した状態を示す斜視図
【図２】  本発明の第１実施例の差込端子部を収納した状態を示す斜視図
【図３】  本発明の第１実施例の図１の要部縦断面図
【図４】  本発明の第１実施例の図２の要部縦断面図
【図５】  本発明の第１実施例の図４のＡ−Ａ線要部断面図
【図６】  本発明の第１実施例の図４の要部を示す斜視図
【図７】  本発明の第２実施例の別実施例を示す差込端子部と挿入口が露出した状態の斜視図
【図８】  本発明の第２実施例の別実施例を示す差込端子部と挿入口を収納した状態の斜視図
【図９】  本発明の第２実施例の図７の要部縦断面図
【図１０】  本発明の第２実施例の図８の要部縦断面図
【図１１】  本発明の第２実施例の図１０のＡ−Ａ線要部断面図
【図１２】  本発明の第２実施例の図１０の要部を示す斜視図
【図１３】  本発明の第３実施例の別実施例を示す差込端子部が収納した状態を示す斜視図
【図１４】  本発明の第３実施例の別実施例を示す差込端子部の収納から露出への途中経過を示す斜視図
【図１５】  本発明の第３実施例の別実施例を示す差込端子部を露出した状態を示す斜視図
【図１６】  本発明の第３実施例の図１３の示す要部縦断面図
【図１７】  本発明の第３実施例の図１４の要部縦断面図
【図１８】  本発明の第３実施例の図１５の要部縦断面図
【図１９】  本発明の第３実施例の図１６の要部を示す斜視図
【図２０】  従来品の参考斜視図
【符号の説明】
【００１５】    １ケース本体
２操作片
３操作体
４突起部
５後方ロック溝
６操作ガイド口
７ベルト体
８ベルトガイド部
９媒体本体
１０差込端子部
１１開口部
１２前方ロック溝
１３前部媒体ストッパー
１４動作ランプ
１５ランプ窓
１６指紋認証部
１７露出窓
１８作用部
１９後部媒体ストッパー
２０作用部ストッパー
２１挿入口
２２挿入開口部
２３記憶カード
２４媒体ケース
２５遊動凹部（連動解除機構）
２６作用ストッパー
２７先端ロック部
２８先端ロック受け口
２９取付部
３０中間固定部
３１ベルトフック部
３２前方天板
３３ガイド体
３４挿入口部
３５後方天板
３６キャップ蓋